【手続補正書】
【提出日】平成15年4月3日(2003.4.3)
【手続補正１】
【補正対象書類名】明細書
【補正対象項目名】全文
【補正方法】変更
【補正の内容】
【発明の名称】タバコ消火器
【特許請求の範囲】
【請求項１】タバコの消火をするための水等の消火液を含浸可能な吸水材を用いる灰皿において、
灰皿本体に吸水材を装着するための吸水材受部と、前記吸水材受部内に装着される吸水材を設けるとともに、
前記吸水材の表面および裏面の両面に火消し部となるタバコ当接凹部を設けたことを特徴とするタバコ消火器。
【請求項２】タバコの消火をするための水等の消火液を含浸可能な吸水材を用いる灰皿において、
灰皿本体に吸水材を装着するための吸水材受部と、前記吸水材受部内に装着される吸水材を設けるとともに、
前記吸水材の表面および／または裏面に火消し部となるタバコ当接凹部を複数箇所設けたことを特徴とするタバコ消火器。
【請求項３】タバコの消火をするための水等の消火液を含浸可能な吸水材を用いる灰皿において、
灰皿本体に吸水材を装着するための吸水材受部と、前記吸水材受部内に装着される吸水材と、前記吸水材受部の下方に消火液を補給するための貯水部を設けるとともに、
消火後のタバコを灰皿本体に貯留するために、網目状に形成された開口部を有する吸い殻溜部を前記吸水材受部に隣接して設けたことを特徴とするタバコ消火器。
【請求項４】タバコの消火をするための水等の消火液を含浸可能な吸水材を用いる灰皿において、
灰皿本体に吸水材を装着するための吸水材受部と、前記吸水材受部内に装着される吸水材と、前記吸水材受部に隣接して消火後のタバコを貯留する吸い殻溜部を設けるとともに、前記灰皿の上面を被覆するための蓋部を設け、さらに前記蓋部の内部に給水用吸水材を内蔵したことを特徴とするタバコ消火器。
【請求項５】タバコの消火をするための水等の消火液を含浸可能な吸水材を用いる灰皿において、
灰皿本体に吸水材を装着するための吸水材受部と、前記吸水材受部内に装着される吸水材を設けるとともに、
前記吸水材を平板状の形状にするとともに、その平板状の吸水材に台形状の長孔を前記給水材の表面および／または裏面に設けたことを特徴とするタバコ消火器。
【請求項６】タバコの消火をするための水等の消火液を含浸可能な吸水材を用いる灰皿において、
灰皿本体に吸水材を装着するための吸水材受部と、前記吸水材受部内に装着される吸水材を設けるとともに、
灰皿本体の開口側内週部の全周に仕切部を設け、灰皿本体の外壁と前記仕切部との間を吸水材受部とし、その残り部分である仕切部の内側空間を吸い殻溜部としたことを特徴とするタバコ消火器。
【請求項７】タバコの消火をするための水等の消火液を含浸可能な吸水材からなる携帯用簡易灰皿において、
前記吸収材を蛇腹状で、かつ、シート状に形成するとともに、その両端にマジックファスナー等の係止部を設け、さらに蛇腹状の折曲部分にタバコを載置して消火する構成にすることで、使用後は蛇腹状の吸収材にタバコを包み込んだ状態で投棄できることを特徴とする携帯用のタバコ消火器。
【発明の詳細な説明】
【０００１】
【発明の属する技術分野】
本発明は、タバコの消火器や消火具に関するもので、タバコの吸いさしを確実に消火して安全にするとともに、飛散し易い灰による灰皿の汚れを防止できるタバコの消火器や消火具を提供するものである。
【０００２】
【本発明が解決しようとする課題】
本発明が解決しようとする課題は以下のようなものである。
（１）タバコの火の完全消火のためには水等の液体を使用するが、その液体がこぼれない構造にする必要がある。
（２）水分の吸水材にタバコ当接凹部を設ける場合であっても、１日に数１０本以上の消火をするためには１カ所のみのタバコ当接凹部では処理できない。
凹みが無いとタバコの火は消えない。平坦なスポンジでは、火の先端部分のみが接触するだけなので、全体の火が消えない。押し付けると火の玉部分から折れてしまって後始末が大変である。
（３）吸水材は、毎日のように取り出して廃棄または交換する必要があるので、取り出しに便利な構造でなければならない。
（４）消火後でもタバコの嫌な臭いは残るので、できれば臭いも一緒に取り除く構造にすべきである。
（５）消火後のタバコの吸い殼の廃棄処理が簡単にできる構造のタバコ消火器でなければならない。
さらに、上記の課題に加え、灰皿の無い場所での喫煙を考慮すると携帯可能な消火器も必要である。
以下詳細にその実現手段につき具体的に説明をする。
【０００３】
【問題を解決するための手段】
本発明は、上記課題を以下の手段により解決するものである。
請求項１においては、灰皿本体に吸水材を装着するための吸水材受部と、前記吸水材受部内に装着される吸水材を設けるとともに、前記吸水材の表面および裏面の両面に火消し部となるタバコ当接凹部を設けたことを特徴とするタバコ消火器。
請求項２においては、灰皿本体に吸水材を装着するための吸水材受部と、前記吸水材受部内に装着される吸水材を設けるとともに、前記吸水材の表面および／または裏面に火消し部となるタバコ当接凹部を複数箇所設けたことを特徴とするタバコ消火器。
請求項３においては、灰皿本体に吸水材を装着するための吸水材受部と、前記吸水材受部内に装着される吸水材と、前記吸水材受部の下方に消火液を補給するための貯水部を設けるとともに、消火後のタバコを灰皿本体に貯留するために、網目状に形成された開口部を有する吸い殻溜部を前記吸水材受部に隣接して設けたことを特徴とするタバコ消火器。
請求項４においては、灰皿本体に吸水材を装着するための吸水材受部と、前記吸水材受部内に装着される吸水材と、前記吸水材受部に隣接して消火後のタバコを貯留する吸い殻溜部を設けるとともに、前記灰皿の上面を被覆するための蓋部を設け、さらに前記蓋部の内部に給水用吸水材を内蔵したことを特徴とするタバコ消火器。
請求項５においては、灰皿本体に吸水材を装着するための吸水材受部と、前記吸水材受部内に装着される吸水材を設けるとともに、前記吸水材を平板状の形状にするとともに、その平板状の吸水材に台形状の長孔を前記給水材の表面および／または裏面に設けたことを特徴とするタバコ消火器。
請求項６においては、灰皿本体に吸水材を装着するための吸水材受部と、前記吸水材受部内に装着される吸水材を設けるとともに、灰皿本体の開口側内週部の全周に仕切部を設け、灰皿本体の外壁と前記仕切部との間を吸水材受部とし、その残り部分である仕切部の内側空間を吸い殻溜部としたことを特徴とするタバコ消火器。
請求項７においては、前記吸収材を蛇腹状で、かつ、シート状に形成するとともに、その両端にマジックファスナー等の係止部を設け、さらに蛇腹状の折曲部分にタバコを載置して消火する構成にすることで、使用後は蛇腹状の吸収材にタバコを包み込んだ状態で投棄できることを特徴とする携帯用のタバコ消火器。
であることを特徴とする。
【０００４】
【従来の技術】
従来の消火器及び消火具に関しては以下の出願があるが、いずれも一長一短があり完全にユーザーが満足するものではなかった。
（１）実公昭５５−９８３３号
本考案は、図１２に示すように、水分を含んだスポンジまたは石綿に一カ所のみタバコ当接凹部を設けたもので、葉巻等の太いタバコでも使用できるように開口部の広い円錐形になっている。しかし、スポンジ部分が小さく体積的には少量の水分しか保持できないため乾燥が早く、長時間の使用には耐えられないし、かつ、せいぜい数１０回程度の消火動作によって、付着や残留した吸い殼で孔が閉塞してしまうという欠点があった。
（２）実公昭５９−２１６７８号
本考案は、図１３に示すように、水分を含んだスポンジまたは石綿に一カ所のみタバコ当接凹部を設けた火消体で、その底部には磁石を設けて金属製の机やテーブルに半固定するものである。上記と同様にスポンジ部分が小さく体積的には少量の水分しか保持できないため乾燥が早く、長時間の使用には耐えられないし、かつ、せいぜい数１０回程度の消火動作によって付着や残留した吸い殼で孔が閉塞するという欠点とともに、金属製の机やテーブルでないと効果が発揮できないという欠点があった。
（３）実公昭６３−１７３６０号
本考案は、図１４に示すように、水をはった灰皿中に両脚を有するような断面コの字状の吸水材を設けたもので、火消し用の水分供給が充分になされる構造のものである。しかし、このような構造では灰皿のちょっとした移動で水がこぼれる可能性があり、その取り扱いには充分留意しないと灰皿の周辺が水浸しになるし、タバコの火消しの際に平面上の吸水材にタバコをうまく押し付ける動作が難しいという欠点があった。
（４）実公昭６１−１８７１７号
本考案は、図１４に示すように、スポンジ等の吸水材を荒目と細目の２種類の吸水材を使用して、下部には水分吸水効率の良い荒目の吸水材を、上部には水分保持の効果がある細目の吸水材を載置したものである。さらには常時吸水するための貯水部を設けている点と、その貯水部の水は吸水材によって閉塞されたような状態になっており灰皿がひっくり返っても水はこぼれない点が特徴になっている。しかし、平坦な吸水材でタバコの火を消火する構造なのでタバコ当接凹部を有するものとは異なり、うまく消火するのが難しい。タバコの先端を多少強めに吸水材に押し付けるので、場合によっては火種部分がタバコ本体から脱落して吸水材上に残ってしまい、次の消火の際に邪魔になってしまうという欠点があった。さらに、複雑な構造の本考案においては、吸水材の取出しや交換が非常に大変になるという欠点もある。
さらに、上述の従来例で共通している欠点は、スポンジ等の吸水材をどのようにして取り出して廃棄または交換するのかについて全く配慮がなされていないことである。毎日喫煙するのが常であるから、このことは致命的な欠点になる。
【０００５】
【発明の実施の形態】
【実施例】
以下、実施例に基づいて詳細に説明する。
図１は、本発明のタバコ消火器の斜視図とその断面図を示すもので、１は灰皿本体でその上部中央に仕切部４と桟を設けて、半円状のスポンジ等からなる吸水材５を収納する吸水材受部３を形成する。吸収材５は、水道水等で水を含ませた状態で使用するものである。
前記吸水材受部３の仕切部４を境にした反対側には、格子状の桟を設けて一般の灰皿と同様にタバコ置部と吸い殻投入部を形成する。この灰皿本体１は、難燃性のプラスチックで一体成形しても良いし通常の金物であっても良い。Ａ−Ａ’断面図は、吸水材５を灰皿本体１に収納した状態を示すもので、前記吸水材５の表面と裏面には火のついたタバコを当接するためのタバコ当接凹部６をそれぞれ設けている。前記タバコ当接凹部６の形状は、矩形状や円錐状、三角錐状、長方形状いずれであっても良いし、その組み合わせであっても良い。吸水材５にはあらかじめ水や消臭液等の液体を含侵させておき、火種のついたタバコをタバコ当接凹部６に当接したら直ちに消火されるような構造になっている。
従来は、このタバコ当接凹部が１個で、かつ、吸水材の一面にしか設けられていなかったので、１０数回の火消し行為で使用不能になってしまった。この原因のひとつは、タバコの火種は数百度を越える熱があるのでいくら水分を含んだスポンジ類であっても熔融は避けられず、火種の当たるタバコ当接凹部の壁面および底面は硬化してしまい水分を充分に吸収できなくなってしまうことである。ふたつめは、火消し行為のたびに若干の灰が、タバコ当接凹部の壁面や底面に残留することによってスポンジ類の吸収材からタバコの火種への水分供給を充分にできないということである。また、場合によっては火種がタバコ当接凹部のなかに取り残されてしまい、次の火消し行為時にタバコが当接できないことすらあった。
本発明においては、吸収材５に複数のタバコ当接凹部６を設けていることから、１個のタバコ当接凹部が使用不能になっても次のタバコ当接凹部を使用すれば良いので上述の問題は生じないし、さらには吸収材の両面にタバコ当接凹部６が形成されているため、片面が使用不能になれば吸収材５を裏返して使用継続することができる。来客時には、吸収材の使用していない面を引っ繰り返して使えば不快感を与えることもなく非常に便利である。
【０００６】
図２は、本発明の他の実施例を示すもので、灰皿本体１の一部に吸水材受部３を有するとともに、前記吸水材受部３の中に断面がＨ字状をした吸水材を装着したものである。タバコ当接凹部を設ける代わりにＨ字状の吸収材５を用い、タバコを消火する際は中間部の平板状にタバコの火種を押し付けて行うものである。この形状の利点は、加工の面倒なタバコ当接凹部を形成せずに済むことである。そして、Ｈ字状の下部空間部には水等の消火液を入れることができる点である。Ｃ−Ｃ’断面図からも分かるように、Ｈ字状の下部空間部は、消火液に対して蓋の役目も果たしており、灰皿本体１を動かしたとしても簡単には消火液がこぼれない構造になっている。また、Ｈ字状であることから反転して使用することもできる。
【０００７】
図３は、本発明の他の実施例の断面図を示すもので、灰皿本体１の一部に吸水材受部３と、吸水材受部３内に装着される吸水材５と、消火後のタバコを灰皿本体１の吸い殼溜部２に投入するための開口部２０を設けるとともに、吸水材受部３の下方に消火液を補給するための貯水部７を設けたものである。
吸収材５は、一例としてドーナツ状のものであっても良く、表裏の両面にそれぞれ複数のタバコ当接凹部６を有している。
そして、開口部２０の底面には開閉弁２５を設けて、灰皿本体１が引っ繰り返った場合には、吸い殻溜部２にたまったタバコの吸い殻が飛び出ないような構造になっている。開閉弁２５は、適当なストッパーによって常時６０〜７０°程度の角度で半開の状態に維持されており、灰皿本体１が転倒した場合には自重により開口部２０を閉塞する働きをする。また、吸収材受部３は、その外周を灰皿本体１の内周に沿った湾曲部として、灰皿本体１に対して着脱自在とし、その間に袋状の難燃シート２４を介在させてタバコの吸い殼を収納しても良い。この場合は、吸収材受部３を灰皿本体１から外して難燃シート２４を取り出せば、難燃シート２４に溜まった吸い殼をそのまま手を汚さずにゴミ箱に投棄することができる。灰皿の清掃をする場合に便利である。灰皿本体１の底部中央には、公共設備中に設置するスタンド型灰皿のスタンドを係止するためのネジ部８が設けられる。
また、図示はしないが、スポンジ等からなる吸収材５を目隠しするための目的のために、灰皿本体１の上部に格子状の蓋を設ける構成としても良い。吸収材５のタバコ当接凹部６はタバコの火種等で黒ずんだり、タバコの灰が付着したりして汚れているので美観を損ねないために格子状のタバコ置きを兼ねた蓋を被せることは商品価値を高めることにもなる。この場合は、タバコ当接凹部と格子状の網目は一致させる必要があるのは当然である。
図４は、図３の実施例をさらに改良したものである。灰皿本体１の一部に吸水材受部３と、吸水材受部３内に装着される吸水材５と、消火後のタバコを灰皿本体１の吸い殻溜部２に投入するための吸収材開口部１４を設けるとともに、灰皿本体１の上面を被覆するための蓋部２２を設け、蓋部２２の内部に給水用吸水材９を内蔵したことが特徴である。蓋部２２には、開閉のための把手２１を設けるとともに、水栓１０を設けて、蓋部２２に内在される給水用吸収材９の貯水部７に消火液を注入するための孔を開閉する。そして、給水用吸収材９の下部中央には突出部１１を設けて、ここから灰皿本体１の吸収材５の吸収材開口部１４に消火液を補給する。蓋部２２を閉じることで、自動的に突出部１１は吸収材開口部１１に当接されるものである。実施例においては、吸収材開口部１４を灰皿本体１の上部中央にある吸収材５に設けているが、これを両端にあるタバコ当接凹部吸収材５に設けても良い。その場合は、給水用吸収材９の突出部１１は蓋部２２の両端側に設けることになる。吸収材開口部１４は、消火済みのタバコの吸い殼を投棄するための投入口ではあるが、水分を含んでいるのでタバコ当接凹部での消火が不完全であっても、この吸収材開口部１１で確実にタバコの火種を消火することができる。さらには、これをタバコ当接凹部６として使用しても良い。
【０００８】
図５は、スポンジ等からなる平板状の吸水材５に、台形状の長孔であるタバコ受部１５を表および裏の両面に設けたもので、本発明タバコ消火器の変形実施例である。これまで説明したタバコ当接凹部を有するものは、限られた大きさの孔にタバコの先端を当接する必要があり、急いで消火する場合等にはタバコをうまく当接できない可能性があった。本実施例は、この欠点を解消するためのもので、タバコ当接凹部を台形状の長孔として、そこにタバコを横にして置くこともできるタバコ受部１５としたものである。これだと、タバコを転がして置けばそのまま消火できるので非常に便利である。吸収材５に水分が充分ないときは、タバコをちょっと押し付けるようにして置けば、タバコ全体で吸水することになり何ら問題はない。さらなる利点としては、両面に同一形状のタバコ受部１５があるので、複数枚の吸収材５を互いに組み合わせて使うことができることである。例えば、上側の吸収材５を給水性の良い素材とし、下側の吸収材５を保水性の高い素材にすれば、重なり合った上側の吸収材５に常時水分を給水可能になり、タバコ消火の機能は衰えにくい。また、単体で使用したときは、タバコ受部１５の下側の長孔は貯水部の役割を果たす。  また、上記以外の使い方としては、図６に示すように、枠部と桟部と針棒状のツマミ部１７とが一体に形成された取出具１６と、その上に吸水材５を載置し、図示しないがそれらを灰皿の吸水材受部に装着し、使用後に吸収材５を灰皿から取り出して廃棄する。その廃棄の際は、取出具１６のツマミ部１７を持って吸収材５を灰皿から取り出す。吸収材５の中心部には、ピンホール２３を形成して取出具１６のツマミ部１７が当接されるようにしても良い。通常は、吸収材５は多孔質のスポンジ状のもので構成されるので、あえてピンホール２３を設ける必要はない。  図７は、本発明の他の実施例を示すもので、灰皿本体１の周縁部全体に仕切部４を設け、灰皿本体１の外壁と仕切部４との間を吸水材受部３とし、仕切部４の内側空間を吸い殻溜部２とするとともに、吸水材受部３に両面にタバコ当接凹部６を有する吸水材５を装着したものである。図８は、本発明のさらなる変形実施例を示すもので、灰皿本体１の中央部に段部を設け、段部に装着して係止するための脚部１８を有する吸水材５を載置したものである。段部は、公共設備中に設置するスタンド型灰皿のスタンドを係止するためのネジ部８と兼用しても良い。吸収材５の脚部１８は、灰皿本体１の段部を挟み込むようにして係止するためのものである。係止する際に被覆しやすいように、脚部１８の各コーナーに切り割りを設けても良い。
図９および図１０は、携帯用、かつ、使い捨て用として使用する場合の実施例を示すものである。両端にマジックファスナー等の係止部１９を設けた折り畳み可能な蛇腹状の吸水材５であって、折曲部にタバコ１２を載置して消火する。そして、図１０に示すように、使用後はタバコ１２を包み込んだ状態で吸水材５の両端を係止部１９で係止して、そのままの状態で投棄できるようにしたものである。携帯時は、ポケットや小物入れに折り畳んで収納して持ち運べる。特に公園等の屋外で喫煙する際には便利である。
図１１は、従来例を示すもので、タバコ当接凹部６を貫通孔としてある。灰皿本体１とタバコ当接凹部６は金物やプラスチックの一体物でできている。タバコ当接凹部６はタバコの径とほぼ合致したものになっており、火の付いたタバコが当接されるとタバコ当接凹部内での空気の流通がなくなり、火種部分は酸素欠乏状態となって消火される。しかし、酸素が完全に欠乏するまでには数秒間を要するので本発明のように瞬時に消火されることはない。また、再度発火する場合もあり確実な消火装置とは言えない。
【０００９】
【発明の効果】
従来は、喫煙家にとって取り扱いやすくて、確実に消火可能なタバコ消火器はできなかったが、本発明は上述の構成としたことで以下の効果を有するタバコ消火器を提供できるものである。
（１）消火液を含んだ吸収材に複数のタバコ当接凹部を設けたので、１日数１０本程度の消火が可能になった。このため、吸収材の交換頻度が低くなる。吸収材の面積を大きくすればさらに多くの本数の消化が可能で公衆用としても使用できる。
（２）吸収材の両面にタバコ当接凹部を設けたので、さらに多くの本数の消火が可能となるし、突発的な来客時には未使用の吸収材の面を直ちに使用するようにすることができる。
（３）確実な消火のためには充分な消火液を吸収材に供給する必要があるが、その場合は灰皿のちょっとした移動で水がこぼれる可能性がある。そこで、吸収材を消火液の貯水部に対する蓋とする構成で消火液のこぼれを防止できる。
（４）吸収材と取出具を組み合わせて使用することで、スポンジ等の吸水材の取り出しや交換を容易にした。
（５）折り畳み自在としたので、持ち運びに便利であり、灰皿のない屋外等での使用には最適である。そして、使い捨ても可能なので非常に取り扱いやすい。
【図面の簡単な説明】
【図１】本発明の実施例を示す斜視図と断面図である。
【図２】本発明の他の実施例を示す斜視図と断面図である。
【図３】本発明の他の実施例を示す断面図である。
【図４】本発明の他の実施例を示す断面図である。
【図５】本発明の他の実施例を示す斜視図である。
【図６】本発明の他の実施例を示す斜視図である。
【図７】本発明の他の実施例を示す斜視図と断面図である。
【図８】本発明の他の実施例を示す斜視図と断面図である。
【図９】本発明の携帯用タバコ消火器の実施例を示す斜視図である。
【図１０】図９のタバコ消火器の使用状態を示す断面図である。
【図１１】従来例を示す斜視図と断面図である。
【図１２】他の従来例を示す斜視図である。
【図１３】他の従来例を示す斜視図である。
【図１４】他の従来例を示す斜視図である。
【図１５】他の従来例を示す断面図である。
【符号の説明】
１        灰皿本体
５        吸収材
６        タバコ当接凹部
９        給水用吸収材
１５      タバコ受部
１６      取出具
２４      難燃シート
２５      開閉弁